(57)【要約】【課題】メッセージの入れ替えが可能で、かつ、使用者が当該メッセージ入れ替えに不便さを感じることのない体裁の良いメッセージ付き飲食用容器で、乳幼児等が最後まで楽しく食事することができる飲食用容器を提供することを課題とする。【解決手段】  飲食物保持部と、前記飲食物保持部の底部より下方に突出した高台部と、を有する碗形状の飲食用容器であって、前記飲食物保持部は外側保持部材と内側保持部材が重ねられて形成されており、前記外側保持部材と前記内側保持部材の間には伝達体が取り外し自在に挟持され、前記伝達体の少なくとも一部は前記外側保持部材の底部と前記内側保持部材の底部の間に位置していて、前記外側保持部材と前記内側保持部材の対向する位置には互いを係合可能な係合部が設けられていることを特徴とする飲食用容器。【選択図】図１
2017131264.tif 000002
【特許請求の範囲】
【請求項１】
飲食物保持部と、前記飲食物保持部の底部より下方に突出した高台部と、を有する碗形状の飲食用容器であって、
前記飲食物保持部は外側保持部材と内側保持部材が重ねられて形成されており、
前記外側保持部材と前記内側保持部材の間には伝達体が取り外し自在に挟持され、
前記伝達体の少なくとも一部は前記外側保持部材の底部と前記内側保持部材の底部の間に位置していて、
前記外側保持部材と前記内側保持部材の対向する位置には互いを係合可能な係合部が設けられていることを特徴とする飲食用容器。
【請求項２】
請求項１に記載の飲食用容器であって、
前記内側保持部材のうち少なくとも前記伝達体と重なる部分は透明であることを特徴とする飲食用容器。
【請求項３】
請求項１または２に記載の飲食用容器であって、
前記内側保持部材の上端部は前記外側保持部材の上端部を挟み込むように外方に折り曲げられた折り曲げ部を有していて、
前記係合部は前記外側保持部材の外方上端部及び前記内側保持部材の前記折り曲げ部の内方に設けられていることを特徴とする飲食用容器。
【請求項４】
請求項１〜３のいずれか１に記載の飲食用容器であって、
前記外側保持部材及び前記内側保持部材に設けられた前記係合部が一対の雄ネジ及び雌ネジからなることを特徴とする飲食用容器。
【請求項５】
請求項１〜３のいずれか１に記載の飲食用容器であって、
前記外側保持部材の前記係合部は係合孔であり、前記内側保持部材の前記係合部は係合片であり、前記係合孔に前記係合片を挿入することにより前記外側保持部材と前記内側保持部材とが係合されることを特徴とする飲食用容器。
【請求項６】
請求項１〜３のいずれか１に記載の飲食用容器であって、
前記外側保持部材の前記係合部は環状凹部であり、前記内側保持部材の前記係合部は係合凸部であり、前記環状凹部に前記係合凸部を嵌合することにより前記外側保持部材と前記内側保持部材とが係合されることを特徴とする飲食用容器。
【請求項７】
請求項１〜６のいずれか１に記載の飲食用容器であって、
前記伝達体の全体が前記外側保持部材の底部と前記内側保持部材の底部の間に挟持されていることを特徴とする飲食用容器。
【請求項８】
請求項７に記載の飲食用容器であって、
前記外側保持部材の底部と前記内側保持部材の底部には、前記伝達体より大きな平坦部を有することを特徴とする飲食用容器。
【発明の詳細な説明】
【技術分野】
【０００１】
本発明は、飲食物保持部と、前記飲食物保持部の底部より下方に突出した高台部と、を有する碗形状の飲食用容器に関する。
【背景技術】
【０００２】
離乳食を開始した乳幼児や児童等の子供は、食事中であっても自分の気になったものを追いかけたり、気持ちが削がれると食事の途中でも飲食することを拒絶したり、嫌いな食材を食べることを拒否したりして、完食しないことがある。
【０００３】
このように子供が途中で食事を中断若しくは中止してしまった場合、子供の健康を気遣う親が、子供がバランスの取れた食生活を送れるようにするため最後まで残さず飲食するよう子供に伝えても、かえって子供の気持ちを削ぐ結果になってしまい、そのまま食事を取らなくなることが多くある。このようなことが繰り返されると、幼少期に食事に対する悪いイメージを子供に植え付けることとなり、当該子供が成長する上で深刻な問題にもつながりかねない。
【０００４】
このような食事に関する問題は近年、食育として注目されており、子供に限らず、例えば、摂食障害等の障害を負っている人や痴呆症を患ったり飲食に対する意欲を失ったりした老人等（以下、これらを乳幼児と合わせて単に「乳幼児等」と言うこともある。）にも当てはまる問題となっている。
【０００５】
そこで、特に乳幼児や児童等の子供を持つ親や摂食障害等の障害者の介護者、及び痴呆症若しくは飲食に対する意欲を失った老人等の介護者から、飲食者が最後まで楽しく食事を取れるような飲食用容器の上市が望まれていた。
【０００６】
こうした流れの中で、飲食者に対する注意喚起を目的として飲食用容器にメッセージを付与したものが提案されてきた（例えば、特許文献１）。
特許文献１に示されたメッセージ付き食器においては、茶碗の内側若しくは底面に、「くすり」や「ごちそうさまでした」等の注意若しくは躾のためのメッセージが印刷されている。そして、飲食者が食事中にこれらのメッセージを目にすることにより、食後の薬の飲み忘れの防止や食後の挨拶を促す注意喚起が可能となる、としている。
特許文献１のような茶碗で底面に飲食者が喜ぶような文章や図柄が印刷されていれば、飲食者が最後まで楽しく食事を取ることも可能となる。
【０００７】
しかし、特許文献１のように茶碗の内面にメッセージを直接印刷してしまうと、１つの茶碗につき常に同じメッセージしか伝えられないため、例えば誕生日等の記念日に特別なメッセージを伝えるといった臨機応変な対応は困難であった。
【０００８】
そこで、メッセージを適宜入れ替え可能にした飲食用器として特許文献２に示すような器も提案されてきた。
特許文献２では、底部を透明に形成した容器本体に底蓋をネジ部により着脱自在に設け、容器本体の底部と底蓋の間にメッセージ等を記入した中間装飾体を取換自在に挟置している。
例えば乳幼児等の親が特許文献２のような飲食用器を使用する際には、底蓋を回してネジ部による締結を解除して容器本体から外し、その日の乳幼児等に伝えたい内容を記した中間装飾体を底蓋に入れて、再び底蓋を回すことにより容器本体と締結させる。これにより、メッセージを適宜入れ替え可能にした飲食用器が提供される、としている。
【０００９】
しかし、特許文献２のような飲食用器では、メッセージ等を記入する中間装飾体の大きさが底蓋よりも小さいサイズに限定されるため、当該中間装飾体に記せる内容はごく少ないものとなってしまう。また、特許文献２の飲食用器に食事を盛って乳幼児等に使用させた場合、当該飲食用器の底が見えるまで食べ進まなければ中間装飾体に記されたメッセージを見ることができないため、特許文献２の飲食用器を使用して飲食する乳幼児等が当該中間装飾体のメッセージを見るためには、最後まで我慢強く食事を続けなければならなくなる。
しかし、メッセージ付きの飲食用器を用いる必要のある主な対象者は上述のように食事を途中で中断してしまう乳幼児等であるため、特許文献２のような飲食用器を使用しても、当該飲食用器を使用して飲食する乳幼児等が底蓋に配置された中間装飾体のメッセージに気づく前に食事を中断してしまう虞があった。
【００１０】
さらに、特許文献２のような飲食用器では、底部が透明となっているため、中間装飾体が必要ない場合でも白紙等の中間装飾体を入れておかなければ、当該飲食用器を使用して飲食する乳幼児等が食べ進んだ際に底部に穴が開いているような錯覚を覚えることとなってしまい、体裁の悪い飲食用器となってしまうという問題もあった。
さらにまた、中間装飾体の入れ替えは容器本体の下側で行うこととなるため、容器本体の上側で入れ替えを行う場合と比べて、入れ替えの不便さを感じるという問題もあった。
【先行技術文献】
【特許文献】
【００１１】
【特許文献１】実用新案登録第３１８７９１８号公報
【特許文献２】実開昭５２−１３１２９３号公報
【発明の概要】
【発明が解決しようとする課題】
【００１２】
本発明は上記のような事情に鑑みてなされたもので、メッセージの入れ替えが可能で、かつ、使用者が当該メッセージ入れ替えに不便さを感じることのない体裁の良いメッセージ付き飲食用容器で、乳幼児等が最後まで楽しく食事することができる飲食用容器を提供することを課題とする。
【課題を解決するための手段】
【００１３】
本発明は係る課題に鑑みなされたものであり、本発明の飲食用容器は、飲食物保持部と、前記飲食物保持部の底部より下方に突出した高台部と、を有する碗形状の飲食用容器であって、前記飲食物保持部は外側保持部材と内側保持部材が重ねられて形成されており、前記外側保持部材と前記内側保持部材の間には伝達体が取り外し自在に挟持され、前記伝達体の少なくとも一部は前記外側保持部材の底部と前記内側保持部材の底部の間に位置していて、前記外側保持部材と前記内側保持部材の対向する位置には互いを係合可能な係合部が設けられていることを特徴とする。
【００１４】
また、本発明の飲食用容器の前記内側保持部材のうち少なくとも前記伝達体と重なる部分は透明であっても良い。
【００１５】
また、本発明の飲食用容器の前記内側保持部材の上端部は前記外側保持部材の上端部を挟み込むように外方に折り曲げられた折り曲げ部を有していて、前記係合部は前記外側保持部材の外方上端部及び前記内側保持部材の前記折り曲げ部の内方に設けられていても良い。
【００１６】
また、本発明の飲食用容器は、前記外側保持部材及び前記内側保持部材に設けられた前
記係合部が一対の雄ネジ及び雌ネジからなっていても良いし、前記外側保持部材の前記係合部は係合孔であり、前記内側保持部材の前記係合部は係合片であり、前記係合孔に前記係合片を挿入することにより前記外側保持部材と前記内側保持部材とが係合される構造となっていても良い。さらには、前記外側保持部材の前記係合部は環状凹部であり、前記内側保持部材の前記係合部は係合凸部であり、前記環状凹部に前記係合凸部を嵌合することにより前記外側保持部材と前記内側保持部材とが係合されることになっていても良い。
【００１７】
また、本発明の飲食用容器は、前記伝達体の全体が前記外側保持部材の底部と前記内側保持部材の底部の間に挟持されていても良い。
このとき、前記外側保持部材の底部と前記内側保持部材の底部には、前記伝達体より大きな平坦部を有していても良い。
【発明の効果】
【００１８】
本発明の飲食用容器は、飲食物保持部と、前記飲食物保持部の底部より下方に突出した高台部と、を有する碗形状の飲食用容器であって、前記飲食物保持部は外側保持部材と内側保持部材が重ねられて形成されており、前記外側保持部材と前記内側保持部材の間には伝達体が取り外し自在に挟持されていることにより、メッセージ等を記した前記伝達体を適宜入れ替えて使用することが可能となる。
また、前記伝達体を入れ替える際には、前記内側保持部材を持ち上げて前記外側保持部材の内方に前記伝達体を配置して前記内側保持部材を上方より載置すれば良いため、入れ替えに不便を感じることが無い。
【００１９】
また、前記伝達体の少なくとも一部が前記外側保持部材の底部と前記内側保持部材の底部の間に位置していることにより、本発明の飲食用容器を使用して飲食する乳幼児等は前記伝達体に記されたメッセージ等を見るため最後まで食事を続けることが可能である。このとき、底部だけでなく、側面部分にも底部にあるメッセージを見るように促す内容が記されていると、より乳幼児等の興味を高めることが可能となり、より楽しく最後まで食事を続けることが可能となる。
さらに、前記外側保持部材と前記内側保持部材の対向する位置には互いを係合可能な係合部が設けられていることにより、前記外側保持部材と前記内側保持部材が外れてしまう虞がなく、安心して飲食することが可能となる。
【００２０】
また、前記内側保持部材のうち少なくとも前記伝達体と重なる部分は透明であることにより、前記伝達体に記されたメッセージがはっきりと見えるようにすることが可能となる。
【００２１】
また、前記内側保持部材の上端部は前記外側保持部材の上端部を挟み込むように外方に折り曲げられた折り曲げ部を有する構造とすることにより、本発明の飲食用容器を使用して飲食する乳幼児等の口に当たる上端部が前記内側保持部材を折り曲げた折部となるため、当該上端部は厚みを持った曲線を有することとなり、当該上端部で口を切る虞が無い。また、前記内側保持部材を持ち上げる際には前記折り曲げ部に指をかけて持ち上げることができるため、前記内側保持部材の持ち運びが容易となる。
このとき、前記係合部は前記外側保持部材の外方上端部及び前記内側保持部材の前記折り曲げ部の内方に設けられていることにより、前記外側保持部材の内方に前記伝達体を配置する際に前記係合部に引っ掛ける虞が無く便利に利用することが可能となる。
【００２２】
また、前記外側保持部材及び前記内側保持部材に設けられた前記係合部が一対の雄ネジ及び雌ネジからなる場合には、前記内側保持部材を前記外側保持部材の上方から被せて、前記外側保持部材に対して前記内側保持部材を回動させるだけで両者を係合させることが可能となるため、便利に利用することが可能となる。
【００２３】
また、前記外側保持部材の前記係合部は係合孔であり、前記内側保持部材の前記係合部は係合片であり、前記係合孔に前記係合片を挿入することにより前記外側保持部材と前記内側保持部材とが係合される場合には、本発明の飲食用容器を使用して飲食する乳幼児等が飲食中に誤って前記内側保持部材を回動させようとしても回動せず、前記外側保持部材と前記内側保持部材との係合が解除される虞がない。
【００２４】
また、前記外側保持部材の前記係合部は環状凹部であり、前記内側保持部材の前記係合部は係合凸部であり、前記環状凹部に前記係合凸部を嵌合することにより前記外側保持部材と前記内側保持部材とが係合される場合には、前記内側保持部材の前記係合部を前記外側保持部材の前記係合部に押し付けて嵌合するだけで前記保持部材と前記内側保持部材とを係合することが可能となるため、非常に便利に利用することが可能となる。
【００２５】
また、前記伝達体の全体が前記外側保持部材の底部と前記内側保持部材の底部の間に挟持されるようにすることにより、本発明の飲食用容器を使用して飲食する乳幼児等が前記伝達体の内容を見ようとして最後まで食事をするようにすることが可能となる。
このとき、前記外側保持部材の底部と前記内側保持部材の底部には、前記伝達体より大きな平坦部を有していることにより、前記伝達体に記された内容が歪んだりすることなく見え易くすることが可能となる。
【図面の簡単な説明】
【００２６】
【図１】本発明の第１の実施形態の飲食用容器を模式的に示した説明図である。（ａ）は斜視図、（ｂ）は側方から見た側面図、（ｃ）は上方から見た平面図である。
【図２】本発明の第２の実施形態の飲食用容器を模式的に示した説明図である。（ａ）は斜視図、（ｂ）は側方から見た側面図、（ｃ）は上方から見た平面図である。
【発明を実施するための形態】
【００２７】
＜第１の実施形態＞
以下、本発明を実施するための第１の実施形態につき図１を参照して説明する。
【００２８】
飲食用容器１は、飲食物保持部２と飲食物保持部２の底部より下方に突出した高台部４と、を有する碗形状の容器であり、飲食物保持部２は外側保持部材２１と内側保持部材２２が重ねられて形成されている。そして、外側保持部材２１と内側保持部材２２の間には、メッセージ等が記された伝達体３が挟持されている。
なお、飲食用容器１の少なくとも伝達体３以外の部品は、食器洗浄乾燥機を利用することが可能な材料で形成されることが好ましい。
【００２９】
外側保持部材２１の材料は特に限定されず、陶器、磁器、若しくはプラスチック等一般的な茶碗に使用されるものであれば良い。ただし、乳幼児等が使用することを考慮すれば、飲食用容器１を誤って落とした場合にも割れにくいプラスチック材料を用いることが好ましい。
また、外側保持部材２１の色も特に限定されないが、飲食用容器１を使用して飲食する飲食者が不安を覚えることの無いように有色であることが好ましい。
【００３０】
外側保持部材２１の底部外方には下方に突出した高台部４が接続されている。高台部４の形状や大きさは特に限定されず、一般的な茶碗と同様のもので良い。
また、本実施形態の外側保持部材２１の底部は、図１（ｃ）に示すように、伝達体３よりも大きい平坦部２３を有している。これにより、伝達体３に記された内容が歪んだりすることなく飲食者が容易に伝達体３の内容を確認することが可能となる。
【００３１】
内側保持部材２２の材料は特に限定されないが、少なくとも伝達体３と重なる部分は、透明若しくは伝達体３の記載内容が見える程度に半透明な材料であることが好ましい。また、乳幼児等が使用することも考慮すれば、誤って落としても割れにくいプラスチック材料若しくは柔軟性のあるシリコンゴムを用いることが好ましい。
【００３２】
内側保持部材２２は外側保持部材２１の内方に配置され、外側保持部材２１と対向する位置で外側保持部材２１の係合部（図示せず）及び内側保持部材２２の係合部（図示せず）を用いて係合される。このとき、外側保持部材２１及び内側保持部材２２の係合部は伝達体３と重ならない位置に設けられていれば良い。
外側保持部材２１及び内側保持部材２２の係合部の係合方法は特に限定されず、ネジ式でも良いし、係合孔に係合片を挿入する方式であっても良いし、環状凹部に係合凸部を嵌合する方式であっても良い。
【００３３】
外側保持部材２１及び内側保持部材２２の係合部をネジ式とする場合には、外側保持部材２１の内方の上端付近に雌ネジを形成し、当該雌ネジと対向する内側保持部材２２の外方に雄ネジを形成する。このとき、伝達体３及び内側保持部材２２を利用せずに外側保持部材２１のみで使用することも考慮し、外側保持部材２１の雌ネジは全周に連続して形成するのではなく不連続に形成することが好ましい。このような構成とすることにより、外側保持部材２１のみで使用した際に雌ネジの凹凸に飲食物が嵌まり込んで飲食しにくくなる虞を低減することが可能となる。
また、外側保持部材２１に対して内側保持部材２２を回動固着する長さは、全周の８分の１以上２分の１以下であることが好ましい。８分の１よりも短いと固着が緩く外れやすくなってしまい、２分の１よりも長いと固着のために回動する動作が大きくなり煩雑になる。
上述の長さとすることにより、使用者が内側保持部材２２を外側保持部材２１に固着する際、内側保持部材２２を外側保持部材２１の上方より被せて８分の１〜２分の１回転させるだけで良いため、伝達体３を入れ替えるために内側保持部材２２を離脱及び固着する際の動作が少なくて済み、使用者が煩わしさを感じることがない。
【００３４】
外側保持部材２１及び内側保持部材２２の係合部を、係合孔に係合片を挿入する方式とする場合には、外側保持部材２１の内方に係合孔を形成し、当該係合孔と対向する内側保持部材２２の外方に突出する係合片を形成する。このとき、前記係合孔及び前記係合片を形成する位置は特に限定されないが、使用者の利便性を考慮すれば、前記係合孔は外側保持部材２１の上端付近に形成することが好ましい。
前記係合孔及び前記係合片の形状も特に限定されないが、伝達体３及び内側保持部材２２を利用せずに外側保持部材２１のみで使用することも考慮し、外側保持部材２１に形成する前記係合孔は貫通しない凹形状とすることが好ましい。また、前記係合孔及び前記係合片の数も特に限定されないが、１組若しくは２組形成することが好ましい。なお、前記係合孔及び前記係合片の組み合わせを２組形成する場合には、当該２組の前記係合孔及び前記係合片が略１８０度間隔を開けた位置に形成されることが好ましい。これにより、使用者が内側保持部材２２を外側保持部材２１に固着する際、内側保持部材２２を外側保持部材２１の上方より被せて、内側保持部材２２の前記係合片を両手で同時に外側保持部材２１の前記係合孔に嵌め込むだけで良いため、伝達体３を入れ替えるために内側保持部材２２を離脱及び固着する際の動作が少なくて済み、使用者が煩わしさを感じることがない。
【００３５】
外側保持部材２１及び内側保持部材２２の係合部を環状凹部に係合凸部を嵌合する方式とする場合には、外側保持部材２１の内方に周回する環状凹部を形成し、当該環状凹部と対向する内側保持部材２２の外方に突出する係合凸部を形成する。このとき、前記環状凹部及び前記係合凸部を形成する位置は特に限定されないが、使用者の利便性を考慮すれば、前記環状凹部は外側保持部材２１の上端付近に形成することが好ましい。
前記環状凹部及び前記係合凸部は１周全体に亘って形成するのではなく、断続的に形成しても良いが、特に前記環状凹部は形成されていない箇所では嵌合ができないため使用者が前記環状凹部の位置を確認しながら係合作業をすることとなり煩わしいため、１周全体に亘って形成されていることが好ましい。
なお、前記係合凸部は前記環状凹部に嵌合しやすい材料であることが好ましく、特には柔軟性のあるシリコンゴムであることが好ましい。
【００３６】
また、内側保持部材２２の上端部は、図１（ｂ）に示すように、外側保持部材２１の上端部を覆うように少し外方に広がっている。このように構成することにより、飲食用容器１に食事を盛り付けたり、飲食者が飲食用容器１を使用して飲食したりする際に外側保持部材２１と内側保持部材２２の間に飲食物が入り込む虞が無い。これにより、食事を無駄にすることなく、また、伝達体３を汚すことなく飲食することが可能となる。
【００３７】
内側保持部材２２は、少なくとも伝達体３と重なる部分が透明であれば良いのであって、その他の部分は有色であっても良い。例えば、上端部から底部にかけて徐々に色が薄くなるグラデーションのようにしても良いし、飲食者が底部を見たくなるように促すような図柄や記号若しくはメッセージが印刷されていても良い。特に、図１（ｃ）のように底部のみに伝達体３を配置する場合には、飲食者が伝達体３に気づかずに食事を中断することの無いような工夫を内側保持部材２２の上端部から側面にかけて施すことが好ましい。
【００３８】
飲食用容器１を使用する際、使用者はまず、内側保持部材２２と外側保持部材２１の係合を解除し、内側保持部材２２を離脱させる。その後、乳幼児等に向けたメッセージを記した伝達体３を外側保持部材２１の内方に配置した状態で内側保持部材２２を外側保持部材２１の上方より被せ、再び内側保持部材２２と外側保持部材２１を係合固着する。係合の解除及び固着の方法は上述の通りネジ式若しくは係合孔へ係合片を挿入する方式が好ましく、いずれの場合も使用者は簡便な動作で内側保持部材２２を離脱及び固着することが可能であるため、伝達体３を入れ替える際にも煩わしさを感じることはない。
そして、伝達体３を配置した飲食用容器１の内側保持部材２２の内方に飲食物を盛り付けて飲食者に提供する。
【００３９】
乳幼児等の飲食者が飲食用容器１に盛り付けられた飲食物を飲食し始めると、伝達体３若しくは伝達体３を見るように促す記載が見え始める。これにより乳幼児等の興味を飲食に集中させることができ、乳幼児等が楽しみながら最後まで飲食することができるようになる。
【００４０】
＜第２の実施形態＞
以下、本発明を実施するための第２の実施形態につき図２を参照して説明する。
【００４１】
第２の実施形態の飲食用容器１０は、内側保持部材２２の上端部が外側保持部材２１の上端部を挟み込むように外方に折り曲げられた折り曲げ部２５を有している点で第１の実施形態と異なり、それ以外は第１の実施形態と同様である。
【００４２】
本実施形態の内側保持部材２２は、図２（ａ）（ｂ）に示すように、上端２４で外方に折り曲げられた折り曲げ部２５を有し、外側保持部材２１の上方より内側保持部材２２を被せた際に折り曲げ部２５が外側保持部材２１の外方に位置するようになっている。
このような構造とすることにより、飲食用容器１０を使用して飲食する乳幼児等の口に当たる上端２４が内側保持部材２２を折り曲げた厚みを持った部分となるため、口当たりが良く上端２４で口を切る虞も無い。また、内側保持部材２２を持ち上げる際に折り曲げ部２５に指をかけて持ち上げることができるため、内側保持部材２２の持ち運びが容易となる。
【００４３】
本実施形態において外側保持部材２１及び内側保持部材２２を固着する係合部（図示せず）は、外側保持部材２１の外方上端部及び内側保持部材２２の折り曲げ部２５の内方に形成する。これにより、外側保持部材２１の内方に伝達体３を配置する際に前記係合部に引っ掛ける虞が無く便利に利用することが可能となる。
なお、前記係合部の係合方法は第１の実施形態と同様にネジ式若しくは係合孔へ係合片を挿入する方式、若しくは環状凹部に係合凸部を嵌合する方式が好ましいが、これに限定されない。
【００４４】
外側保持部材２１及び内側保持部材２２の係合部をネジ式とする場合には、外側保持部材２１の外方上端部に雄ネジを形成し、当該雄ネジと対向する内側保持部材２２の折り曲げ部２５内方に雌ネジを形成する。本実施形態においては、伝達体３及び内側保持部材２２を利用せずに外側保持部材２１のみで使用する場合にも、前記雄ネジは外側保持部材２１の外方に形成されているため前記雄ネジの凹凸に飲食物が嵌まり込む虞は無い。ただし、この場合には飲食者の下唇が前記雄ネジの凹凸に当たって飲食者に不快な思いをさせることを避けるため、外側保持部材２１の雄ネジは全周に連続して形成するのではなく不連続に形成することが好ましい。
また、外側保持部材２１に対して内側保持部材２２を回動固着する長さは、第１の実施形態と同様に全周の８分の１以上２分の１以下であることが好ましい。
【００４５】
外側保持部材２１及び内側保持部材２２の係合部を、係合孔に係合片を挿入する方式とする場合には、外側保持部材２１の外方に係合孔を形成し、当該係合孔と対向する内側保持部材２２の折り曲げ部２５の内方に突出する係合片を形成する。
【００４６】
外側保持部材２１及び内側保持部材２２の係合部を環状凹部に係合凸部を嵌合する方式とする場合には、外側保持部材２１の外方に環状凹部を形成し、当該環状凹部と対向する内側保持部材２２の折り曲げ部２５の内方に突出する係合凸部を形成する。
【００４７】
飲食用容器１０を使用する際、使用者はまず、内側保持部材２２と外側保持部材２１の係合を解除し、内側保持部材２２を離脱させる。その後、乳幼児等に向けたメッセージを記した伝達体３を外側保持部材２１の内方に配置した状態で内側保持部材２２を外側保持部材２１の上方より被せ、再び内側保持部材２２と外側保持部材２１を係合固着する。係合の解除及び固着の方法は上述の通りネジ式若しくは係合孔へ係合片を挿入する方式が好ましく、いずれの場合も使用者は簡便な動作で内側保持部材２２を離脱及び固着することが可能であるため、伝達体３を入れ替える際にも煩わしさを感じることはない。
そして、伝達体３を配置した飲食用容器１０の内側保持部材２２の内方に飲食物を盛り付けて飲食者に提供する。
【００４８】
乳幼児等の飲食者が飲食用容器１０に盛り付けられた飲食物を飲食し始めると、伝達体３若しくは伝達体３を見るように促す記載が見え始める。これにより乳幼児等の興味を飲食に集中させることができ、乳幼児等が楽しみながら最後まで飲食することができるようになる。
【符号の説明】
【００４９】
１、１０・・・飲食用容器
２・・・飲食物保持部
２１・・・外側保持部材
２２・・・内側保持部材
２３・・・平坦部
２４・・・上端
２５・・・折り曲げ部
３・・・伝達体
４・・・高台部
【図１】
2017131264.tif 000003
【図２】
2017131264.tif 000004